(57)【特許請求の範囲】
【請求項１】
撮像レンズと、この撮像レンズによって形成される光学像を電気信号に変換する受光部を備えた撮像素子と、前記撮像素子を動作させる撮像素子駆動回路と、フィルムを装着し、このフィルムを長手方向及び上下方向に移動させ、また移動位置に停止させるフィルム送り機構部と、前記撮像素子の出力信号に対して信号の特徴を抽出して前記フィルム上の有効画像部分と非有効画像部であるブランク部分を選択して検出するフィルムブランク検出部と、このフィルムブランク検出部の出力信号に従って前記フィルム送り機構部を制御するフィルム送り機構制御部とを備え、コマ状に連続して撮像されているフィルムの画像を１コマづつ前記撮像素子で撮像し電気信号に変換する撮像装置において、
フィルムが被撮像位置を通過する際の速度を検出し、フィルム速度信号を発生させるフィルム送り速度検出部をさらに備え、
前記フィルムブランク検出部は、フィルム送り期間中に、フィルムの画像を時間的な間隔を置いて連続してサンプリングし、前記フィルム速度信号に基づいて取り出す時間間隔を変えて得られたサンプリング信号の特徴を分析してフィルムブランクを検出する
ことを特徴とする撮像装置。
【請求項２】
撮像レンズと、この撮像レンズによって形成される光学像を電気信号に変換する受光部を備えた撮像素子と、前記撮像素子を動作させる撮像素子駆動回路と、フィルムを装着し、このフィルムを長手方向及び上下方向に移動させ、また移動位置に停止させるフィルム送り機構部と、前記撮像素子の出力信号に対して信号の特徴を抽出して前記フィルム上の有効画像部分と非有効画像部であるブランク部分を選択して検出するフィルムブランク検出部と、このフィルムブランク検出部の出力信号に従って前記フィルム送り機構部を制御するフィルム送り機構制御部とを備え、コマ状に連続して撮像されているフィルムの画像を１コマづつ前記撮像素子で撮像し電気信号に変換する撮像装置において、
所定のフィルムブランク部分から次のフィルムブランク部分までの間の画像サンプリング回数をカウントするカウンターをさらに備え、
前記フィルム送り機構部は、前記カウンターによるサンプリング回数カウント値に基づいて、次のコマの為のフィルム送り速度を変更し、
前記フィルムブランク検出部は、フィルム送り期間中に、フィルムの画像を時間的な間隔を置いて連続してサンプリングし、得られたサンプリング信号の特徴を分析してフィルムブランクを検出する
ことを特徴とする撮像装置。
【発明の詳細な説明】
【０００１】
【発明の属する技術分野】
この発明は、モノクロ或いはカラーのロールフィルムに現像された画像を撮像素子によって撮像した後に、ディジタル画像信号として記憶すると共に画像処理を行う撮像装置に関するものである。
【０００２】
【従来の技術】
図２４は例えば特開平２−２０００８６号公報に示された従来の撮像装置の構成を示すブロック図であり、図において、１は撮像レンズ、２０１は撮像すべき光情報の通過・遮断を制御するシャッター、２はシャッタ２０１を透過する光情報の光量を適正な量に調整する絞り、２０２は撮像レンズ１を透過した光情報のの少なくとも異なる３色の光に相当する波長を選択する透過光波長選択手段、３は透過光波長選択手段２０２を通して結像された像を電子的に撮像して電気信号に変換して出力する撮像素子、２０３はバッファ、７はバッファ２０３と通して入力された電気信号をディジタル信号に変換するＡ／Ｄ変換器、２０４は変換されたディジタル信号を所定の電気信号に処理する信号処理回路、２０５は電気信号に処理された画像を記憶する記憶装置、２０７はＡ／Ｄ変換器７、信号処理回路２０４、記憶装置２０５の動作タイミング、およびシャッタ２０１、透過光波長選択手段２０２の可動部の動きを制御する機構系駆動装置２０６の駆動タイミングを制御するタイミング制御装置、２０６は機構系駆動装置であり、この機構系駆動装置２０６はタイミング制御装置２０７より出力されるタイミング信号に基づきシャッター２０１及び透過光波長選択手段２０２の可動部の動きを制御する。２０８は外部トリガー入力端子である。
【０００３】
次に動作について説明する。従来装置の動作を図２５、図２６に基づいて説明する。いま、外部トリガー入力端子２０８に図２６に示すようにトリガー信号２４１がタイミング制御装置２０７に印加されたものとする。この時、タイミング制御装置２０７は、被写体の光量、撮像素子の感度、外部から設定された撮像条件等に基づいてシャッター速度及び絞り値を算出し、シャッター２０１を開く時間を示すシャッター開放時間信号２４２を機構系駆動装置２０６に伝達する。シャッター開放時間信号２４２におけるＴＳ がシャッター２０１を開く期間を示す。機構系駆動装置２０６はシャッター開放時間信号２４２に基づき、シャッター２０１の開閉を制御するとともに、適正な光量となるように絞り２を制御する。したがって、被写体からの光は、撮像レンズ１を通りシャッター２０１が開いているときのみ絞り２で光量を制限され透過光波長選択手段２０２に入射する。
【０００４】
透過光波長選択手段２０２は、例えば、図２５に示したようにＲ（赤），Ｇ（緑），Ｂ（青）三色に対応したカラーフィルタで構成され、矢印２３０の方向に回転する。Ｒ，Ｇ，Ｂに相当するカラーフィルタが動作する期間を示したのが図２６の各制御信号２４３，２４４，２４５におけるＴＲ ，ＴＧ ，ＴＢ である。即ち、タイミング制御装置２０７は前記シャッター２０１が開く期間ＴＳ を三分割してＴＲ ，ＴＧ ，ＴＢ とし、それらの情報を含んだ制御信号２４３，２４４，２４５を機構系駆動装置２０６へ伝送する。機構系駆動装置２０６は、制御信号２４３，２４４，２４５に基づいて透過光波長選択手段２０２を制御し、期間ＴＲ にＲの分光成分を有する光、期間ＴＧ にＧの分光成分を有する光、期間ＴＢ にＢの分光成分を有する光を透過せしめる。
【０００５】
撮像素子３は、上述のＲ，Ｇ，Ｂそれぞれの分光成分を有した光を受光し、それらを順次電気信号に変換し、バッファ２０３及びＡ／Ｄ変換器７を介して該電気信号を信号処理装置２０４に伝送する。信号処理装置２０４は、前記Ｒ，Ｇ，Ｂの分光成分を有したそれぞれの光に対応した電気信号を受け、所定の処理を施し合成した後、カラー画像を生成する。記憶装置２０５は、該カラー画像を記録する。
【０００６】
【発明が解決しようとする課題】
従来の撮像装置は以上のように構成されているので、ロールフィルム等を被写体として撮像するには、外部でトリガー信号を発生させてフィルム送りを制御しなければならず、また、フィルムの送り量を検出してフィルムの送り速度を制御する事が必要である。そのため、ロールフィルム等を自動的に撮像し、記録媒体に記録するにはシステムが複雑になるに伴って装置が高価になり、且つ、撮像に要する時間も長くなる等の問題点があった。
【０００７】
この発明は上記のような問題点を解消するためになされたもので、被写体としてロールフィルム等を撮像する場合に、フィルムの送りを制御することによりフィルム上の所望の画像を撮像素子で所望の解像度で撮像を行い、この撮像信号をＡ／Ｄ変換器によりディジタルデータに変換してメモリに記録し、記録した画像データを、内部、あるいは外部に接続した信号処理装置に転送することで、これら一連の動作を短時間で繰り返し実行することができる撮像装置を得ることを目的とする。
【０００８】
【課題を解決するための手段】
請求項１の発明に係る撮像装置は、撮像レンズと、この撮像レンズによって形成される光学像を電気信号に変換する受光部を備えた撮像素子と、前記撮像素子を動作させる撮像素子駆動回路と、フィルムを装着し、このフィルムを長手方向及び上下方向に移動させ、また移動位置に停止させるフィルム送り機構部と、前記撮像素子の出力信号に対して信号の特徴を抽出して前記フィルム上の有効画像部分と非有効画像部であるブランク部分を選択して検出するフィルムブランク検出部と、このフィルムブランク検出部の出力信号に従って前記フィルム送り機構部を制御するフィルム送り機構制御部とを備え、コマ状に連続して撮像されているフィルムの画像を１コマづつ前記撮像素子で撮像し電気信号に変換する撮像装置において、フィルムが被撮像位置を通過する際の速度を検出し、フィルム速度信号を発生させるフィルム送り速度検出部をさらに備え、前記フィルムブランク検出部は、フィルム送り期間中に、フィルムの画像を時間的な間隔を置いて連続してサンプリングし、前記フィルム速度信号に基づいて取り出す時間間隔を変えて得られたサンプリング信号の特徴を分析してフィルムブランクを検出するものである。
【０００９】
請求項２の発明に係る撮像装置は、撮像レンズと、この撮像レンズによって形成される光学像を電気信号に変換する受光部を備えた撮像素子と、前記撮像素子を動作させる撮像素子駆動回路と、フィルムを装着し、このフィルムを長手方向及び上下方向に移動させ、また移動位置に停止させるフィルム送り機構部と、前記撮像素子の出力信号に対して信号の特徴を抽出して前記フィルム上の有効画像部分と非有効画像部であるブランク部分を選択して検出するフィルムブランク検出部と、このフィルムブランク検出部の出力信号に従って前記フィルム送り機構部を制御するフィルム送り機構制御部とを備え、コマ状に連続して撮像されているフィルムの画像を１コマづつ前記撮像素子で撮像し電気信号に変換する撮像装置において、所定のフィルムブランク部分から次のフィルムブランク部分までの間の画像サンプリング回数をカウントするカウンターをさらに備え、前記フィルム送り機構部は、前記カウンターによるサンプリング回数カウント値に基づいて、次のコマの為のフィルム送り速度を変更し、前記フィルムブランク検出部は、フィルム送り期間中に、フィルムの画像を時間的な間隔を置いて連続してサンプリングし、得られたサンプリング信号の特徴を分析してフィルムブランクを検出するものである。
【００３１】
【発明の実施の形態】
各実施の形態の動作説明に入る前に本発明における撮像装置の概要について説明する。この撮像装置は、ロール状に収納されたロールフィルムをフィルム送り機構部に装着して撮像素子で撮像を行い、撮像素子の出力信号によりロールフィルムの非有効画像部分であるブランク部分を選択して検出することによりフィルム送り機構部を制御して、コマ状に連続して記録されているフィルム画像を１コマづつ所定の形式の電気信号に変換する。
【００３２】
更に、撮像素子として、直線状に配置された多数の受光素子の集合体からなる撮像素子を用い、ロールフィルムの停止期間中に、撮像素子を自己の長手方向と直角方向に機械的に移動させて、コマ状に連続して記録されているフィルム画像を１コマづつ所定の形式の電気信号に変換する。
【００３３】
また、撮像素子の出力信号をディジタル信号に変換するＡ／Ｄ変換器と、Ａ／Ｄ変換器の出力画像データを記録するメモリと、メモリへの画像データの書き込み及び読み出しを制御するメモリ制御部と、メモリに記録された画像データを、内部、あるいは外部に接続している信号処理装置に転送するデータ転送部を備え、ロールフィルムのフィルム送り、フィルムのブランク検出、フィルムの停止、撮像、撮像素子の出力信号のディジタルデータへの変換、メモリへの記録、接続している信号処理装置へのデータ転送の等の一連の動作を繰り返し実行する。
【００３４】
また、フィルムブランク検出部によるフィルムブランクの検出を、フィルムブランク部分の濃度を検出することにより行う。
【００３５】
また、ロールフィルム上の非有効画像部であるブランク部分の選択を、撮像素子から得られた画像信号のロールフィルムの長手方向に直交する方向にサンプリングした画像の特徴を抽出することにより行う。
【００３６】
さらに、直線状に配置された多数の受光素子の集合体からなる撮像素子の長手方向を、ロールフィルムの長手方向に直交する方向に配置して撮像を行い、ロールフィルム上のブランク部分の選択を行う。
【００３７】
また、直線状に配置された多数の受光素子の集合体からなる撮像素子の長手方向を、ロールフィルムの長手方向に平行に配置して撮像を行い、撮像素子の両端部から得られた画像信号の特徴によりロールフィルム上の非有効画像部であるブランク部分の選択を行う。
【００３８】
また、フィルム送り期間中に、フィルムの画像を時間的に間隔を置いて連続してサンプリングし、得られたサンプリング信号の特徴をフィルムブランク検出部で分析を行うことによりフィルムブランクを検出する。
【００３９】
また、撮像素子の出力信号の画像の特徴からフィルムブランク部を検出する検出操作を、直線状に配置された多数の受光素子の集合体からなる撮像素子を、通常の画像取り込みのための移動範囲の端部でない特定の位置に移動させて行う。
【００４０】
また、撮像素子としてカラー画像撮像素子を用い、フィルムブランク検出部によるフィルムブランク検出を、フィルムブランク部分の色成分の特徴を検出することにより行う。
【００４１】
また、フィルム送り速度検出部は、フィルムが被撮像位置を通過する際の速度を検出し、フィルム速度信号を発生させ、このフィルム速度検出信号によってサンプリング信号を取り出す時間間隔を変化させる。
【００４２】
また、サンプリング回数をカウントするカウンターは、あるフィルムブランクから次のフィルムブランクまでの間のサンプリング回数をカウントし、これによって得られたフィルムブランク間のサンプリング回数カウント値に基づいて、次のコマの為のフィルム送り速度を変化させる。
【００４３】
また、サンプリング回数をカウントするカウンターは、あるフィルムブランクから次のフィルムブランクまでの間のサンプリング回数をカウントし、これによって得られたフィルムブランク間のサンプリング回数がひとつ前のコマの為のサンプリング回数から特定の演算によって得られる所定数、または前もって設定しておいた特定の数を超えた時、ロールフィルムのフィルムエンドと判別し、動作を終了、あるいはロールフィルムを巻戻すように制御する。
【００４４】
また、撮像素子駆動回路は、フィルムブランク部分を基準とした各コマ画像の前もって定めた特定部分の画像のみを撮像するように動作させ、特定部分の画像のみを電気信号として取り出す。
【００４５】
また、撮像素子駆動回路は、フィルム上の画像を前もって定めた割合で間引いて撮像するように動作させることで撮像時間を短縮し、所望の解像度の画像信号を取り出す。
【００４６】
また、メモリ制御部は、Ａ／Ｄ変換器からの出力画像信号をメモリに書き込む際のデータ入力順序と、このメモリからデータを読み出す際のデータ読み出し順序を変化させる。
【００４７】
また、撮像素子にカラー画像撮像素子を用いた場合、メモリ制御部はＡ／Ｄ変換器からの出力信号で前もって設定した特定色の信号のみをメモリに記録するように動作させる。
【００４８】
また、メモリ制御部は、Ａ／Ｄ変換器から出力される信号を、前もって設定した特定の割合で間引いてメモリに記録するように動作させる。
【００４９】
また、メモリ制御部は、Ａ／Ｄ変換器から出力される信号をメモリに書き込む際、画像の特定範囲内のみを選択的にメモリに書き込みことで、ロールフィルム上の特定位置の画像を記録するように動作させる。
【００５０】
また、メモリ制御部、及びデータ転送部は、撮像素子としてカラー画像撮像素子を用いた場合、メモリからデータを読み出す際、特定色のデータをメモリから読み出すように動作させ、接続している信号処理装置に画像データを転送するように制御する。
【００５１】
また、メモリ制御部、及びデータ転送部は、メモリに記録されたデータを読み出す際、画像の特定範囲内のデータのみを選択的に読み出し、接続している信号処理装置に画像データを転送するように制御する。
【００５２】
また、メモリ制御部、及びデータ転送部は、フィルムブランク検出部の信号に基づいて、ロールフィルムのブランク部分を除く有効画像範囲の検出を行い、メモリから有効画像範囲のみのデータを接続している信号処理装置に転送するように制御する。
【００５３】
以下、この発明の各実施の形態を各図面に基づいて詳細に説明する。
実施の形態１．
図１はこの発明の実施の形態１である撮像装置を示すブロック図である。また、図２は、撮像素子を機械的に移動させる撮像素子移動機構を備えた撮像装置を示すブロック図である。図１において、１は撮像レンズ、２は撮像レンズ１を通して入射する光量を制限する絞り、３０３は入射する光に対応したアナログの電気信号を出力する撮像素子であり、この撮像素子３０３は直線状に複数配置された受光素子の集合体から構成される。４は撮像素子３０３を駆動する撮像素子駆動回路、１６はロール状に収納されたフィルム（図示しないが、以下、ロールフィルムと記載する）を装着し、これを移動させるフィルム送り機構部、３００は撮像素子の出力信号を処理して所定の電気信号に変換する信号処理部、１３は撮像素子３の出力信号からロールフィルムの有効画像部分と非有効画像部であるブランク部分を選択して検出するフィルムブランク検出部、１４はフィルム送り機構部１６を制御するフィルム送り機構制御部、３０１は信号処理結果である映像信号の出力端子である。 図２において、３０４は撮像素子３０３と同様の撮像素子、５は撮像素子移動機構であり、この撮像素子移動機構５は撮像素子３０４をロールフィルムの長手方向および長手方向と直交方向に機械的に移動させる。尚、他の構成に関しては図１と同様である。
【００５４】
次に本実施例の動作について説明する。ロールフィルム等をフィルム送り機構部１６にセットし、絞り２等の初期設定を行う。撮像装置のスタートボタンを押すと、フィルム送り機構制御部１４でフィルム送りのスタート信号が発生し、フィルム送り機構部１６を制御してフィルムが送られる。この状態で撮像レンズ１を通して撮像素子３０３でフィルム画像の撮像を行う。この時撮像素子３０３から出力される画像信号をフィルムブランク検出部１３に入力し、フィルムブランク部分の検出を開始する。フィルムブランク部分を検出すると、フィルム送り機構制御部１４でフィルム送りのストップ信号を発生し、フィルム送り機構部１６を制御してフィルムの送り動作を止める。次に停止した位置のロールフィルムの画像を撮像素子３０３で撮像し、信号処理部３００で所定の形式の電気信号に変換する。撮像が終了すると、再度フィルム送りを開始し同様の動作を繰り返すことにより、コマ状に連続して記録されているフィルム画像を１コマづつ所定の形式の電気信号に変換する。
【００５５】
また、撮像素子３０４は、撮像素子移動機構５により、それ自身の長手方向と直角方向に機械的に移動することによりロールフィルム上の画像を撮像することができ、同様にコマ状に連続して記録されているフィルム画像を１コマづつ所定の形式の電気信号に変換する。
【００５６】
実施の形態２．
図３はこの発明の実施の形態２に係る撮像装置を示すブロック図で、図３において、３は図１における撮像素子３０３、あるいは図２における撮像素子３０４と同一の機能を有する撮像素子である。７は撮像素子３から出力されるアナログ画像信号をディジタルによる画像データに変換するＡ／Ｄ変換器、８はＡ／Ｄ変換された画像データを一時的に記録するメモリ、９はメモリ８への画像データの書き込み、及び読みだしを制御するメモリ制御部、１０は画像データを転送する為に接続している信号処理装置、３０２は信号処理装置１０にメモリ８に記憶している画像データを転送する為の制御をおこなうデータ転送部である。
【００５７】
次に動作について図４のフローチャートを用いて説明する。ロールフィルム等をフィルム送り機構部１６にセットし、絞り２等の初期設定を行う（ステップＳ４０）。撮像装置のスタートボタンを押すと、フィルム送り機構制御部１４でフィルム送りのスタート信号が発生し、フィルム送り機構部１６を制御してフィルムが送られる（ステップＳ４１）。この状態で撮像レンズ１を通して撮像素子３から出力される画像信号をフィルムブランク検出部１３に入力し、フィルムブランク部分の検出を開始する（ステップＳ４２）。フィルムブランク部分を検出すると、フィルム送り機構制御部１４でフィルム送りのストップ信号を発生し、フィルム送り機構部１６を制御してフィルムの送り動作を止める（ステップＳ４３）。次に停止した位置のロールフィルムの画像を撮像素子３で撮像し（ステップＳ４４）、撮像素子３から出力される画像信号をＡ／Ｄ変換器７でディジタルの画像データに変換してメモリ８に一旦書き込み（ステップＳ４５）、次に、この画像データをメモリ８より読み出し、データ転送部３０２により信号処理装置１０に転送する（ステップＳ４６）。また、前記一連の動作を何らかのストップ要因が発生するまで繰り返し実行することで１ロール分の画像処理が可能である。
【００５８】
次にフィルムブランク検出部１３の詳細について図５を用いて説明する。図において、１７は撮像素子３の各画素毎に出力される信号のレベルを検出し、この信号レベルに応じたディジタルデータを出力する信号レベル検出部、１８は信号レベル検出部１７で出力された画素毎のディジタルデータを記憶する信号レベル記憶部、１９は信号レベル記憶部１８の画素毎のディジタルデータをフィルムブランク部分の信号レベルと比較してブランク部分の判定を行う信号レベル判定部、２０は信号レベル判定部１９でフィルムブランク部分の信号レベルに達していると判定した画素数をカウントする画素計数部、２１は画素計数部２０の計数値より、フィルムブランク部分の信号レベルに達している画素数によりフィルムブランク部分の判定を行うフィルムブランク判定部、２２は信号レベル判定部１９でディジタルデータがフィルムブランク部分の信号レベルに達していることを判定するためのフィルムブランク基準データ発生部である。
【００５９】
フィルムブランク検出部１３の動作について図５、図６を用いて詳細に説明する。ロールフィルムを撮像する場合、撮像信号は撮像するフィルムの濃度に応じて変化する。撮像素子から出力される画像信号で、ロールフィルムの長手方向に直交する方向にサンプリングした画像信号は図６（ａ）、および（ｂ）のようになる。（ａ）は有効画素部分の信号波形、（ｂ）は非有効画像部であるフィルムブランク部分の信号波形である。信号レベル検出部１７は撮像素子３の出力信号の信号レベルを画素毎に信号レベルに応じたディジタルデータに変換し、信号レベル記憶部１８に記憶する。信号レベル判定部１９はフィルムブランク基準データ発生部２２のデータと、信号レベル記憶部１８のディジタルデータを画素毎に比較し、信号レベル記憶部１８のディジタルデータが大きな時は画素計数部２０のカウント値を＋１増加する。フィルムブランク判定部２１は画素計数部２０のカウント値があらかじめ定めた値を越えるとフィルムブランク部分と判定する。
【００６０】
実施の形態３．
フィルムのブランク部分を検出する場合、直線状に配置された多数の受光素子の集合体からなる撮像素子３の長手方向を図７（ａ），（ｂ）に示す様に、ロールフィルムの長手方向に直交、あるいは長手方向に平行する方向に配置することにより異なったパターンでブランク部の検出を行うことが可能である。
【００６１】
次に動作について図７、図８を用いて説明する。図７において２３はロールフィルムである。図７（ａ）において撮像素子３の長手方向はロールフィルム２３の長手方向に直交する位置に配置されている。ロールフィルム２３のフィルム送りを行いながら撮像素子３による撮像を行うと、撮像素子３からの出力信号は、図８（ａ）で示す様に、ロールフィルム２３のフィルムブランク部分で、基準となるフィルムブランク部分の信号レベルをオーバーする。ここで、フィルムブランク検出部１３でこの位置がロールフィルム２３のブランク部分と判断し、フィルム送りを停止してフィルム上の画像信号を撮像素子３を撮像素子移動機構５により移動させながら撮像を行う。また、図７（ｂ）において撮像素子３の長手方向はロールフィルム２３の長手方向に平行する位置に配置されている。ロールフィルム２３のフィルム送りを行いながら撮像素子３による撮像を行うと、撮像素子３からの出力信号は、図８（ｂ）で示す様にロールフィルム２３のフィルムブランク部分で、フィルムの両端の部分のみ基準となるフィルムブランク部分の信号レベルをオーバーする。ここで、フィルムブランク検出部１３でこの位置がロールフィルム２３のブランク部分と判断し、フィルム送りを停止してフィルム上の画像信号を撮像素子３を撮像素子移動機構５により移動させながら撮像を行う。
【００６２】
実施の形態４．
上記実施の形態１〜３ではフィルムのブランク部分の検出を行う撮像素子３の位置と、フィルム送りを停止して実際に撮像を行う撮像素子３の撮像開始位置は同一であった。しかし、フィルムのブランク部分を検出し、フィルム送り機構制御部１４からフィルムの送りを停止する信号をフィルム送り機構部１６に出力してフィルムの送りを停止させる様に制御しても実際にフィルムが停止する位置は異なる。本実施の形態では、フィルムのブランク部分の検出位置と、実際に撮像を行う開始位置を変化させ、高精度にロールフィルム２３上の画像を撮像できる。動作について図９を用いて説明する。フィルムブランク検出部１３でロールフィルム２３のフィルムブランク部分を検出した後、撮像を行うと図９（ａ）に示す様にＬ１の範囲を撮像する。さらにフィルムブランク検出部１３でフィルムブランク部分を検出した後、撮像素子移動機構５により撮像素子３を図９（ｂ）に示す様にＬ３だけ移動させて撮像するとＬ２の範囲を撮像することが可能となる。フィルム送り機構制御部１４でフィルムの送りを停止させる信号をフィルム送り機構部１６に送り、ロールフィルム２３の停止をおこなった場合、実際の停止精度に誤差があった場合にも、撮像する範囲を適切に調整することができる。
【００６３】
実施の形態５．
上記実施の形態１〜４ではフィルムのブランク部分の検出を、フィルムの濃度に応じた撮像信号レベルの大小で判定したが、図１０に示す様に色成分検出回路３０５でフィルムブランク部分の色成分を検出し、この色成分検出回路３０５の出力信号をフィルムブランク検出部１３に入力し色成分の特徴を分析することによりブランク部分の検出を行う。図１１に示す様にロールフィルム２３のフィルムブランクが青色（Ｂ）の場合、撮像素子３からの出力信号は図に示す様にＢ信号のみフィルムブランク部分の信号レベル以上となる。この時、フィルムブランクと判定し、フィルム送りを停止し、フィルム画像の撮像を開始する。本実施例では、ブランク部分の色成分が青色（Ｂ）の場合について説明したが、緑色（Ｇ）、赤色（Ｒ）他の色成分の場合に関しても検出可能である。
【００６４】
実施の形態６．
また、フィルムブランク検出部１３でのフィルムブランク部分の検出精度はフィルム送り機構部１６の送り精度に依存するところが大きい。フィルムの送り精度にかかわらず、ブランク部分の検出精度を上げる方法について図３、及び図１２、図１３を用いて説明する。図３において１５はロールフィルム２３のフィルム送り速度を検出するフィルム送り速度検出部である。フィルム送り機構部１６は図１２（ａ）に示す様にフィルム送り速度に応じた信号をフィルム送り速度検出部１５に出力する。この出力信号によりフィルム送り速度検出部１５でフィルムの送り速度を検出し、フィルムブランク検出部１３に速度信号を出力する。フィルムブランク検出部１３では、図１２（ｂ）に示す様なフィルム速度に応じたフィルムブランク検出間隔（時間）を設定し、フィルムのブランク部分の検出を行う。その結果、フィルムの送り速度の変化に係わらず検出精度を高めたまま、安定したフィルムブランク検出が可能である。
【００６５】
さらに、検出精度を上げる方法について図１３のフローチャートを用いて説明する。フィルムブランク検出部１３でフィルムブランク部分の検出を行い（ステップＳ１３０）、フィルムブランク検出回数を＋１増加する（ステップＳ１３１）。そして、フィルムブランク部分であるか判断する（ステップＳ１３２）。フィルムブランク部分でなければフィルムブランク検出に戻る。フィルムブランクであれば、今回のフィルムブランク検出回数と前回のフィルムブランク検出時のフィルムブランク検出回数と比較し（ステップＳ１３３）、今回のフィルムブランク検出回数が少なければフィルム送り機構制御部１４に対しフィルム送り機構部１６のフィルム送り速度を下げ（ステップＳ１３４）、今回のフィルムブランク検出回数が多ければフィルム送り機構制御部１４に対しフィルム送り機構部１６のフィルム送り速度を上げる様にフィルム送り速度を制御することで（ステップＳ１３５）、フィルムブランク検出部１３のフィルムブランク検出精度を高めることが可能である。
【００６６】
実施の形態７．
また、ロールフィルム２３の撮像動作を自動的に停止する方法について図１４のフローチャートを用いて説明する。フィルムブランクを検出したならば（ステップＳ１４０）、フィルムブランク検出部１３でフィルムブランク部分の検出を行いフィルムブランク検出回数を＋１増加する（ステップＳ１４１）。フィルムブランク検出回数があらかじめ定めた値になるとフィルムエンドと判定しフィルムブランク検出を終了する（ステップＳ１４４）。しかし、フィルムブランク検出回数が予め設定した値にならないと、フィルムブランクであるか判断する（ステップＳ１４３）。フィルムブランクでなければフィルムブランク検出に戻る。また同様に、フィルムブランク検出回数が、前回のフィルムブランク検出時のフィルムブランク検出回数の特定倍になると、フィルムエンドと判定しフィルムブランク検出を終了する。以上のように、フィルムブランク検出回数、検出間隔によりフィルムエンドの判定が可能となり、撮像動作の停止、またはロールフィルム２３の巻戻しを行うことができる。
【００６７】
実施の形態８．
また、ロールフィルム２３の画像の特定領域のみ撮像する方法について説明する。図３におけるフィルムブランク検出部１３でフィルムブランク部分を検出後、撮像素子移動機構５により撮像素子３を移動する範囲を、例えば全画角の中央を中心に５０％とし、撮像素子駆動回路４により、上記範囲を指定し制御信号を出力することで、撮像素子３からの出力信号を全画角の中央を中心として５０％の範囲を撮像することができる。このように、撮像素子移動機構５と撮像素子駆動回路４からの制御信号により、全画角の任意の特定範囲を指定し撮像することが可能となり、ロールフィルム２３の任意の特定の位置の撮像画像を得ることができる。
【００６８】
実施の形態９．
また、ロールフィルム２３の撮像時間を短縮する方法について図１５を用いて説明する。フィルムブランク検出部１３でフィルムブランク部分を検出後、撮像素子移動機構５により図１５（ａ）に示すように撮像素子３を移動し、撮像素子駆動回路４から図１５（ｂ）の制御信号を出力することで撮像素子３からの出力信号は図１５（ｄ）のように１ラインごとに間引いて撮像することができる。同様に、撮像素子３の出力信号を１画素ごとに間引いて撮像することができる。さらに撮像素子駆動回路４からの制御信号を変えることにより、間引くライン数、画素数を可変することが可能となり、ロールフィルム２３を所望の解像度で撮像することができ、ロールフィルム２３の撮像時間を短縮することが可能である。
【００６９】
実施の形態１０．
また、メモリでの画像データの処理によりロールフィルム２３の撮像画像を任意に処理することが可能となる。以下、本実施の形態について図を用いて説明する。まず、メモリ制御部９（図３を参照）の構成について、図１６を用いて説明する。図において、１０１はメモリ８に書き込み許可信号を出力する書き込みイネーブル制御部、１０２はＡ／Ｄ変換器７からの出力画像データをメモリ８に記録する制御信号を発生する書き込みアドレス制御部、１０３はメモ８に読み出し許可信号を出力する読み出しイネーブル制御部、１０４はメモリ８に記憶された画像データをデータ転送部３０２に読み出す制御信号を発生する読み出しアドレス制御部、１０５は任意の色信号に対する書き込み／読み出しイネーブル信号を発生する色成分制御信号発生回路、１０６は書き込む画像の解像度を規定する所定画素置きにハイレベルの信号を出力する解像度制御信号発生回路、１０７は書き込む画像範囲を規定する所定画素置きにハイレベルの信号を出力する画像範囲制御信号発生回路、１０８は書き込みアドレス制御部１０２を制御するアドレス制御信号発生回路、１０９は書き込み有効とする画像を規定する所定画素置きにハイレベルの信号を出力する有効画像制御信号発生回路、６は有効画像制御信号発生回路１０９に有効画像検出信号を出力する有効画像検出部である。
【００７０】
次に、上記構成のメモリ制御部９の動作について図を用いて説明する。ここではＡ／Ｄ変換器７からの３ドット×３ラインの出力画像データを９０度回転しメモリ８に記録する一例を用いて説明する。まず、Ａ／Ｄ変換器７からの出力画像データを図１７の（ａ）に示す。また、メモリ内のアドレス配置を図１８に示す。ここで、アドレス制御信号発生回路１０８において、図１７（ｃ）に示すようなアドレス信号を発生し、書き込みアドレス制御部１０２においてメモリを制御すると、図２０のようにメモリ８に書き込まれる。回転せずにメモリ８に書き込むと、図１９のように書き込まれるので、図２０は９０度回転しメモリに記録することになり、Ａ／Ｄ変換器７からの出力画像データを特定量回転することが可能である。
この様に、メモリ制御部９のアドレス制御信号発生回路１０８で任意のアドレスを発生させることにより、画像信号を書き込む際の入力順序と、読み出す際の出力順序を変えることができる為、Ａ／Ｄ変換器７からの出力画像データを任意の特定量回転してメモリに記録することができ、ロールフィルム２３上の画像の方向を補正することができる。
【００７１】
実施の形態１１．
また、撮像素子がカラー画像撮像素子の場合は、任意の色信号に対して画像処理をすることが可能となる。本実施の形態について図１６を用いて説明する。まず、メモリ制御部９の構成について、図１６を用いて説明する。ここで先に説明した回路に対して必要となる回路は、Ａ／Ｄ変換器７からの出力画像データをメモリ８に記録する制御信号を発生する書き込みイネーブル制御部１０１、書き込みイネーブル制御部１０１を制御する色成分制御信号発生回路１０５である。
【００７２】
次に、メモリ制御部９の動作について図を用いて説明する。ここではＡ／Ｄ変換器７からの出力画像データを水平ドット成分と垂直ライン成分に分けて、緑（Ｇ）成分の画像データをメモリ８に記録する説明をする。まず、水平ドット成分について、Ａ／Ｄ変換器７からの出力画像データを図２１の（ａ）に示す。ここで、色成分制御信号発生回路１０５において、図２１の（ｂ）に示すような緑（Ｇ）成分データに同期して書き込みイネーブル信号を発生する。次に、垂直ライン成分について、Ａ／Ｄ変換器７からの出力画像データを図２２の（ａ）に示す。色成分制御信号発生回路１０５は、図２２の（ｂ）に示すような書き込みイネーブル信号を発生する。次に、色成分制御信号発生回路１０５は水平の書き込みイネーブル信号と垂直の書き込みイネーブル信号の論理積をとり、論理積条件が認められた時点で、書き込みイネーブル制御部１０１においてメモリ８を制御する。この結果、緑（Ｇ）の画像データのみがメモリ８に書き込まれ、Ａ／Ｄ変換器７からの特定色の出力画像データをメモリ８に記録することが可能である。
この様に、色成分制御信号発生回路１０５で任意の色信号に対する書き込みイネーブル信号を発生することにより、Ａ／Ｄ変換器７から出力される任意の特定色の画像データをメモリに記録することができる。
【００７３】
実施の形態１２．
また、メモリの制御によりロールフィルム２３の撮像画像の解像度を任意に設定することが可能となる。本実施の形態について１６図を用いて説明する。ここで必要は回路は、Ａ／Ｄ変換器７からの出力画像データをメモリ８に記録する制御信号を発生する書き込みイネーブル制御部１０１、書き込みイネーブル制御部１０１を制御する解像度制御信号発生回路１０６である。
【００７４】
次に、メモリ制御部９の動作について図を用いて説明する。ここではＡ／Ｄ変換器７からの出力画像データを水平ドット成分と垂直ライン成分に分けて、画像解像度１／２の画像データをメモリ８に記録する説明をする。まず、水平ドット成分について、Ａ／Ｄ変換器７からの出力画像データを図２１の（ａ）に示す。
ここで、解像度制御信号発生回路１０６において、図２１の（ｃ）に示すように数画素置きに書き込みイネーブル信号を発生する。次に、垂直ライン成分について、Ａ／Ｄ変換器７からの出力画像データを図２２の（ａ）に示す。ここで、解像度制御信号発生回路１０６において、図２２の（ｃ）に示すような書き込みイネーブル信号を１ライン毎に間引いて発生する。この結果、解像度制御信号発生回路１０６が水平の書き込みイネーブル信号と垂直の書き込みイネーブル信号の論理積をとると、論理積条件が認められる期間だけ書き込みイネーブル制御部１０１においてメモリ８を制御する。書き込みイネーブル制御部１０１においてメモリ８を制御することにより、画像解像度１／２の画像データがメモリ８に書き込まれ、Ａ／Ｄ変換器７から画像解像度を特定値とする画像データをメモリ８に記録することが可能である。
この様に、解像度制御信号発生回路１０６において、任意の書き込みイネーブル信号を発生させることにより、Ａ／Ｄ変換器７から任意の特定解像度の画像データをメモリ８に記録することができる。
【００７５】
実施の形態１３．
また、メモリ８の制御により、撮像したロールフィルム２３上の任意の位置の画像を記録することが可能となる。本実施の形態について図１６を用いて説明する。ここで必要となる回路は、Ａ／Ｄ変換器７からの出力画像データをメモリ８に記録する制御信号を発生する書き込みイネーブル制御部１０１、書き込みイネーブル制御部１０１を制御する画像範囲制御信号発生回路１０７である。
【００７６】
次に、メモリ制御部９の動作について図を用いて説明する。ここではＡ／Ｄ変換器７からの出力画像データを水平ドット成分と垂直ライン成分に分けて、全画角の５０％の画像データをメモリ８に記録する説明をする。まず、水平ドット成分について、Ａ／Ｄ変換器７からの出力画像データを図２１の（ａ）に示す。ここで、画像範囲制御信号発生回路１０７において、図２１の（ｄ）に示すような書き込みイネーブル信号を発生する。次に、垂直ライン成分について、Ａ／Ｄ変換器７からの出力画像データを図２２の（ａ）に示す。ここで、画像範囲制御信号発生回路１０７において、図２２の（ｄ）に示すような書き込みイネーブル信号を発生する。次に、画像範囲制御信号発生回路１０７は水平の書き込みイネーブル信号と垂直の書き込みイネーブル信号の論理積をとり、論理積条件が認められた期間書き込みイネーブル制御部１０１においてメモリ８を制御することにより、全画角の５０％の画像データがメモリ８に書き込まれ、Ａ／Ｄ変換器７からの特定範囲の出力画像データをメモリ８に記録することが可能である。
この様に、画像制御信号発生回路１０７により、任意の書き込みイネーブル信号を発生することにより、Ａ／Ｄ変換器からの任意の特定範囲の出力画像データをメモリ８に記録することができる。
【００７７】
実施の形態１４．
また、メモリの制御により、撮像したロールフィルム２３上の任意の色の画像データを接続した信号処理装置に転送することが可能となる。本実施の形態について図１６を用いて説明する。ここで必要となる回路は、メモリ８に記録されている画像データを接続している信号処理装置１０に転送する制御信号を発生する読み出しイネーブル制御部１０３、読み出しイネーブル制御部１０３を制御する色成分制御信号発生回路１０５である。
【００７８】
次に、メモリ制御部９の動作について図を用いて説明する。ここではメモリ８に記録されている画像データを水平ドット成分と垂直ライン成分に分けて、緑（Ｇ）成分の画像データを信号処理装置１０に転送する説明をする。まず、水平ドット成分について、メモリ８に記録されている画像データを図２１の（ａ）に示す。ここで、色成分制御信号発生回路１０５において、図２１の（ｂ）に示すような読み出しイネーブル信号を発生する。次に、垂直ライン成分について、メモリ８に記録されている画像データを図２２の（ａ）に示す。色成分制御信号発生回路１０５は、図２２の（ｂ）に示すような読み出しイネーブル信号を発生する。次に、色成分制御信号発生回路１０５は水平の読み出しイネーブル信号と垂直の読み出しイネーブル信号の論理積をとり、論理積条件が認められた時点で読み出しイネーブル制御部１０３においてメモリ８を制御することにより、緑（Ｇ）の画像データのみが読み出され、データ転送部３０２を介して信号処理装置１０に転送され、メモリ８に記録されている特定色の画像データを信号処理装置１０に転送することが可能である。この様に、色成分制御信号発生回路１０５において、任意の特定色の読みだしイネーブル信号を発生させることにより、任意の特定色の画像データを転送することができる。
【００７９】
実施の形態１５．
また、メモリの制御により、撮像したロールフィルム２３の画像データを特定の解像度で接続した信号処理装置に転送することが可能となる。本実施の形態について図１６を用いて説明する。ここで必要となる回路は、メモリ８に記録されている画像データを信号処理装置１０に転送する制御信号を発生する読み出しイネーブル制御部１０３、読み出しイネーブル制御部１０３を制御する解像度制御信号発生回路１０６である。
【００８０】
次に、メモリ制御部の動作について図を用いて説明する。ここではメモリ８に記録されている画像データを水平ドット成分と垂直ライン成分に分けて、画像解像度１／２の画像データを信号処理装置１０に転送する説明をする。まず、水平ドット成分について、メモリ８に記録されている画像データを図２１の（ａ）に示す。ここで、解像度制御信号発生回路１０６において、図２１の（ｃ）に示すような読み出しイネーブル信号を発生する。次に、垂直ライン成分について、メモリ８に記録されている画像データを図２２の（ａ）に示す。解像度制御信号発生回路１０６は、図２２の（ｃ）に示すような読み出しイネーブル信号を発生する。次に、解像度制御信号発生回路１０６は水平の読み出しイネーブル信号と垂直の読み出しイネーブル信号の論理積をとり、論理積条件が認められ期間、読み出しイネーブル制御部１０３においてメモリ８を制御することにより、画像解像度１／２の画像データが読み出され、データ転送部３０２を介して信号処理装置１０に転送され、メモリ８に記録されている画像データの解像度を特定値として信号処理装置１０に転送することが可能である。
この様に、解像度制御信号発生回路１０６において、任意の特定の読み出しイネーブル信号を発生させることにより、メモリ８に記録されている画像データを任意の特定解像度で転送することができる。
【００８１】
実施の形態１６．
また、メモリの制御により、撮像したロールフィルム２３の画像データの特定の範囲のデータを接続した信号処理装置に転送することが可能となる。本実施の形態について図１６を用いて説明する。ここで必要となる回路は、メモリ８に記録されている画像データを信号処理装置１０に転送する制御信号を発生する読み出しイネーブル制御部１０３、読み出しイネーブル制御部１０３を制御する画像範囲制御信号発生回路１０７である。
【００８２】
次に、メモリ制御部９の動作について図２１、図２２を用いて説明する。ここではメモリ８に記録されている画像データを水平ドット成分と垂直ライン成分に分けて、全画角の５０％の画像データを信号処理装置１０に転送する説明をする。まず、水平ドット成分について、メモリ８に記録されている画像データを図２１の（ａ）に示す。ここで、画像範囲制御信号発生回路１０７において、図２１の（ｄ）に示すような読み出しイネーブル信号を発生する。次に、垂直ライン成分について、メモリ８に記録されている画像データを図２２の（ａ）に示す。解像度制御信号発生回路１０６は、図２２の（ｄ）に示すような読み出しイネーブル信号を発生する。次に、解像度制御信号発生回路１０６は水平の読み出しイネーブル信号と垂直の読み出しイネーブル信号の論理積をとり、論理積条件が認められた期間だけ読み出しイネーブル制御部１０３においてメモリ８を制御することにより、全画角の５０％の画像データが読み出され、データ転送部３０２を介して信号処理装置１０に転送され、メモリ８に記録されている画像データの特定範囲を信号処理装置１０に転送することが可能である。
この様に、画像範囲制御信号発生回路により、任意の読み出しイネーブル信号を発生することにより、メモリ８に記録されている画像データの任意の特定範囲を転送することができる。
【００８３】
実施の形態１７．
本実施の形態は、メモリの制御により、撮像したロールフィルム２３の画像データの有効画像範囲のみ接続した信号処理装置に転送するものである。本実施の形態について図１６を用いて説明する。ここで必要となる回路は、メモリ８に記録されている画像データを信号処理装置１０に転送する制御信号を発生する読み出しイネーブル制御部１０３、撮像素子３、あるいはＡ／Ｄ変換器７の出力信号から撮像画像データの有効画像データ部分を検出する有効画像検出部６、読み出しイネーブル制御部１０３を制御する有効画像制御信号発生回路１０９である。また、有効画像信号発生回路１０９は有効画像検出部６からの検出信号で読み出しイネーブル制御部１０３を制御する信号を発生する。
【００８４】
次に、有効画像検出部６の動作について図２３を用いて説明する。図に示すように、撮像素子３を撮像素子移動機構５によりフィルムブランク検出位置まで移動し、フィルムブランク検出部１３によりフィルムブランク部分でないと判定されるまで撮像素子移動機構５により１ライン毎に移動しフィルムブランク検出を繰り返し行う。フィルムブランクでないと判定されるまでの有効画素移動量Ｌを検出し、有効画像制御信号発生回路１０９に出力する。
【００８５】
次に、メモリ制御部９において、メモリ８に記録されている画像データを水平ドット成分と垂直ライン成分に分けて、全画角の有効画像データ部分の画像データを信号処理装置１０に転送する説明をする。まず、水平ドット成分について、メモリ８に記録されている画像データを図２１の（ａ）に示す。ここで、有効画像制御信号発生回路１０９において、図２１の（ｅ）に示すような、上記有効画素移動量Ｌ遅らせた読み出しイネーブル信号を発生する。
【００８６】
次に、垂直ライン成分について、メモリ８に記録されている画像データを図２２の（ａ）に示す。有効画像制御信号発生回路１０６は、図２２の（ｅ）に示すような、上記有効画素移動量Ｌ遅らせた読み出しイネーブル信号を発生する。次に、有効画像制御信号発生回路１０６は水平の読み出しイネーブル信号と垂直の読み出しイネーブル信号の論理積をとり、論理積条件が認められた期間だけ読み出しイネーブル制御部１０３においてメモリ８を制御することにより、全画角の有効画像データ部分の画像データが読み出され、データ転送部３０２を介して信号処理装置１０に転送することが可能である。
【００８７】
【発明の効果】
この発明によれば、フィルム画像がコマ状に連続して記録されているフィルム等をフィルム送り機構部にセットし、フィルムの有効画像部分と非有効画像部であるブランク部分の検出を撮像素子の出力信号によりおこなうように構成したので、フィルムのブランク部分を検出することによりフィルム送り機構部のフィルム送りを制御して撮像を行い、フィルム上のフィルム画像を１コマづつ所定の形式の電気信号に変換できるといった効果がある。
【００８８】
さらに、直線状に多数の受光素子の集合体が配置された撮像素子、この撮像素子を機械的に移動させる撮像素子移動機構を用いてフィルム画像を撮像する構成としたので、フィルムのブランク部分の検出を高精度に行えるといった効果がある。
【００８９】
また、撮像素子の出力信号をディジタル信号に変換するＡ／Ｄ変換器、このＡ／Ｄ変換器の出力画像データを記録するメモリ、メモリに記録された画像データを接続されている信号処理装置に転送するデータ転送部を備える構成としたので、フィルムのフィルム送り、フィルムのブランク検出、フィルムの停止、撮像、撮像素子の出力信号の前記Ａ／Ｄ変換器によるディジタルデータへの変換、このディジタルデータのメモリへの記録、接続している信号処理装置へのデータ転送という一連の動作を繰り返し実行することができ、簡単でかつ安価にフイルムのフィルム画像を連続的にディジタルデータ化できるという効果がある。
【００９０】
また、フィルムブランク部分の検出を、撮像素子によるフィルムブランク部分のフィルム濃度の検出によりおこなうように構成したので、高精度にかつ安価にフィルムブランク部分の検出をおこなえる効果がある。
【００９１】
また、フィルムブランク検出部において、撮像素子をフィルムの移動方向に対して任意の特定方向に設ける構成としたので、フィルムのブランク部分の形状が異なった場合でも、フィルムの移動方向に対して、特定方向であるフィルムのブランク部分を検出できる効果がある。
【００９２】
また、フィルムブランク検出部において、撮像素子を撮像素子移動機構により任意の特定の位置に移動してフィルムブランク部分の検出をする構成としたので、フィルム送り機構部のフィルム送り精度により、フィルムの停止位置が異なった場合でも、フィルムブランク部分からの画像の撮像位置を任意に変化させ、フィルムブランク部分からの撮像位置を適切に調整できるという効果がある。
【００９３】
また、撮像素子としてカラー画像撮像素子を用いた場合、フィルムブランク検出部において、任意の特定の色成分でフィルムブランク部分の検出をする構成としたので、フィルムブランク部分に特定の色成分に対して特徴があるフィルムのブランク部分を容易に検出できるという効果がある。
【００９４】
また、フィルム送り速度検出部において、フィルムが被撮像位置を通過する際の速度を検出し、フィルムブランク検出部においては、このフィルム速度検出信号により、ブランク部分の検出をおこなう検出間隔をフィルム送り速度に応じて変化させてフィルムのブランク部分を検出する構成としたので、フィルム送り機構部におけるフィルム送り速度に対応して高精度にブランク部分を検出できるという効果がある。
【００９５】
また、フィルム送り検出部において、フィルムブランク部分を検出するまでの検出回数をカウントし、フィルム送り機構制御部において検出回数からフィルムの送り速度を決定し、次回のフィルムブランク検出時のフィルム送り速度としてフィルム送りを制御しブランク部分の検出を行う構成としたので、フィルムブランク部分検出時の検出精度を向上できるという効果がある。
【００９６】
また、フィルム送り検出部において、フィルムブランク部分を検出するまでのフィルムブランク検出回数をカウントし、検出回数が任意の特定回数を超える時はフィルムエンドとし動作を停止する構成としたので、フィルム送り機構部にセットしたフィルムが全て巻きとられ撮像をするフィルムが無くなると自動的に装置の動作を停止できるため装置の自動化効率が向上するという効果がある。
【００９７】
また、同様に、検出回数が前回のフィルムブランク検出時の検出回数の特定倍を超える時はフィルムエンドとし、動作を停止する構成としたので、フィルム送り機構部にセットしたフィルムが全て巻きとられ撮像をするフィルムが無くなると自動的に装置の動作を停止できるため装置の自動化効率が向上するという効果がある。
【００９８】
また、自動的に装置の動作の停止する前に、撮像したフィルムを巻戻し、フィルムを元の状態に戻すことで次のフィルムの撮像操作の切り換え時間が短縮するという効果がある。
【００９９】
また、撮像素子を撮像素子駆動回路と撮像素子移動機構により任意の特定範囲で制御して撮像を行う構成としたので、フィルムのブランク部分以外の画像データ部分の任意の特定範囲を容易に選択して撮像できるという効果がある。
【０１００】
また、撮像素子を撮像素子駆動回路と撮像素子移動機構により任意の割合で間引き撮像を行う構成としたので、フィルムのブランク部分以外の画像データ部分を所望の解像度で短時間で撮像できるという効果がある。
【０１０１】
また、メモリ制御部において、Ａ／Ｄ変換器からの画像出力をメモリに書き込む際のデータ入力順序と、メモリからデータを読み出す際のデータ読みだし順序を変える様に構成したので、フィルム等で各々の被写体がフィルムの移動方向に対して特定方向に向いている画像データをメモリ上で容易に補正できるという効果がある。
【０１０２】
また、メモリ制御部において、Ａ／Ｄ変換器から出力される任意の特定色の画像データをメモリに記録する制御信号を発生する構成としたので、フィルムの任意の特定色の画像データをメモリに容易に記録できるという効果がある。
【０１０３】
また、メモリ制御部において、Ａ／Ｄ変換器からの出力データの画像解像度を任意の特定値としメモリに記録する制御信号を発生する構成としたので、フィルムのブランク部分以外の画像データ部分を任意の特定の解像度でメモリに記録できるという効果がある。
【０１０４】
また、メモリ制御部において、Ａ／Ｄ変換器からの出力画像データを任意の特定範囲で指定してメモリに記録する制御信号を発生する構成としたので、フィルムのブランク部分以外の画像データ部分の任意の特定範囲をメモリに記録できるという効果がある。
【０１０５】
また、メモリ制御部において、メモリから出力される任意の特定色の画像データを接続している信号処理装置に転送する制御信号を発生する構成としたので、フィルムの任意の特定色の画像データを選択的に容易に信号処理装置に転送できるという効果がある。
【０１０６】
また、メモリ制御部において、メモリからの出力データの画像解像度を任意の特定値とし接続している信号処理装置に転送する制御信号を発生する構成としたので、フィルムのブランク部分以外の画像データ部分を任意の特定の解像度で信号処理装置に転送できるという効果がある。
【０１０７】
また、メモリ制御部において、メモリからの出力画像データを任意の特定範囲で指定して接続している信号処理装置に転送する構成としたので、フィルムのブランク部分以外の画像データ部分の任意の特定範囲を容易に選択して信号処理装置に転送できるという効果がある。
【０１０８】
また、有効画像検出部において、撮像素子あるいはＡ／Ｄ変換器からの出力画像データをブランク部を除く有効画像範囲を検出し、メモリ制御部においてメモリからの画像データの有効画像の範囲を指定して、接続している信号処理装置に転送する構成としたので、フィルムのブランク部分以外の画像データ部分の有効画像部分のみを高精度で指定して信号処理装置に転送できるという効果がある。
【図面の簡単な説明】
【図１】  この発明の実施の形態１における撮像装置の構成を示すブロック図である。
【図２】  この発明の実施の形態１における撮像装置の構成を示すブロック図である。
【図３】  この発明の実施の形態２における撮像装置の構成を示すブロック図である。
【図４】  この発明の実施の形態２における撮像装置の動作を示すフローチャートである。
【図５】  この発明の実施の形態２における撮像装置のフィルムブランク検出部の構成を示すブロック図である。
【図６】  この発明の実施の形態２における撮像装置の撮像素子の信号波形を示す図である。
【図７】  この発明の実施の形態３における撮像装置の撮像素子の信号波形を示す図である。
【図８】  この発明の実施の形態３における撮像装置の撮像素子の信号波形を示す図である。
【図９】  この発明の実施の形態４における撮像装置の撮像範囲を示す図である。
【図１０】  この発明の実施の形態５における撮像装置の構成を示すブロック図である。
【図１１】  この発明の実施の形態５における撮像装置の撮像素子の信号波形を示す図である。
【図１２】  この発明の実施の形態６における撮像装置のフィルムブランク検出間隔を示す図である。
【図１３】  この発明の実施の形態６における撮像装置のフィルム送り速度制御の処理を示す図である。
【図１４】  この発明の実施の形態７における撮像装置のフィルムエンドの処理を示すフローチャートである。
【図１５】  この発明の実施の形態９における撮像装置の撮像を示す図である。
【図１６】  この発明の実施の形態１０から１７における撮像装置のメモリ制御部の構成を示すブロック図である。
【図１７】  この発明の実施の形態１０における撮像装置のメモリ制御部のメモリ制御信号波形を示した図である。
【図１８】  この発明の実施の形態１０における撮像装置のメモリ制御部のメモリアドレス配置を示した図である。
【図１９】  この発明の実施の形態１０における撮像装置のメモリ制御部のメモリ配置を示した図である。
【図２０】  この発明の実施の形態１０における撮像装置のメモリ制御部のメモリ配置を示した図である。
【図２１】  この発明の実施の形態１１から１７における撮像装置のメモリ制御部のメモリ制御信号波形を示した図である。
【図２２】  この発明の実施の形態１１から１７における撮像装置のメモリ制御部のメモリ制御信号波形を示した図である。
【図２３】  この発明の実施の形態１７における撮像装置の有効画像検出部の処理を示すフローチャートである。
【図２４】従来の撮像装置の構成を示すブロック図である。
【図２５】従来の撮像装置における回転カラーフィルタの構成を示すブロック図である。
【図２６】従来の撮像装置における動作信号波形を示した図である。
【符号の説明】
１  撮像レンズ、３  撮像素子、４  撮像素子駆動回路、５  撮像素子駆動機構、６  有効画像検出部、７  Ａ／Ｄ変換器、８  メモリ、９  メモリ制御部、１０  信号処理装置、１３  フィルムブランク検出部、１４  フィルム送り機構制御部、１５  フィルム送り速度検出部、１６  フィルム送り機構部、３０２  データ転送部。
【図１】
0003810122.tif 000002
【図２】
0003810122.tif 000003
【図３】
0003810122.tif 000004
【図４】
0003810122.tif 000005
【図５】
0003810122.tif 000006
【図６】
0003810122.tif 000007
【図７】
0003810122.tif 000008
【図８】
0003810122.tif 000009
【図９】
0003810122.tif 000010
【図１０】
0003810122.tif 000011
【図１１】
0003810122.tif 000012
【図１２】
0003810122.tif 000013
【図１３】
0003810122.tif 000014
【図１４】
0003810122.tif 000015
【図１５】
0003810122.tif 000016
【図１６】
0003810122.tif 000017
【図１７】
0003810122.tif 000018
【図１８】
0003810122.tif 000019
【図１９】
0003810122.tif 000020
【図２０】
0003810122.tif 000021
【図２１】
0003810122.tif 000022
【図２２】
0003810122.tif 000023
【図２３】
0003810122.tif 000024
【図２４】
0003810122.tif 000025
【図２５】
0003810122.tif 000026
【図２６】
0003810122.tif 000027